(57)【要約】      （修正有）【課題】メモリカード本体をスロットに固定する場合、安定した固定が確実に得られるとともに、コンタクト端子と信号端子とが確実に接触し、データ信号の好ましい伝送効率が得られるメモリカードのコネクタを提供する。【解決手段】一端にコンタクト端子を設け、他端にメモリカード本体２０を嵌合する嵌合溝１２を形成してなり、該嵌合溝の開口端縁部に段差部１３を形成するとともに、該段差部と該嵌合溝との間に傾斜面１４を形成し、該嵌合溝の上端にはコの字状に形成されメモリカード本体２０を位置決めする嵌合ブロック１５を形成し、且つ該嵌合溝内に、該コンタクト端子に接触する導電板１６を設け、該導電板を介して該メモリカード本体の信号端子と該コンタクト端子とが電気的に接続するように構成する。【選択図】図２
0003107927.tif 000002
【実用新案登録請求の範囲】
【請求項１】
一端にコンタクト端子を設け、他端にメモリカード本体を嵌合する嵌合溝を形成してなり、該嵌合溝の開口端縁部に段差部を形成するとともに、該段差部と該嵌合溝との間に傾斜面を形成し、該嵌合溝の上端にはコの字状に形成されメモリカード本体を位置決めする嵌合ブロックを形成し、且つ該嵌合溝内に、該コンタクト端子に接触する導電板を設け、該導電板を介して該メモリカード本体の信号端子と該コンタクト端子とが電気的に接続するように構成することを特徴とするメモリカードのコネクタ。
【請求項２】
前記コネクタ本体が一体成形によって形成されることを特徴とする請求項１に記載のメモリカードのコネクタ
【請求項３】
前記コンタクト端子と導電板とが導電性の材質によってなることを特徴とする請求項１に記載のメモリカードのコネクタ。
【請求項４】
前記コンタクト端子と導電板とには、それぞれメッキを施して、円弧線を描き隆起する凸状部を形成することを特徴とする請求項１に記載のメモリカードのコネクタ。
【考案の詳細な説明】
【技術分野】
【０００１】
この考案は、メモリカードを嵌合するコネクタに関する。
【背景技術】
【０００２】
科学技術の進歩と、情報産業の発達にともない、電子製品の発展には日進月歩の感がある。その中に在ってメモリカードは、目下最も便利なデータ保存用製品となっている。メモリカードの使用範囲はかなり広く、ディジタルカメラ、ディジタルビデオカメラなどのハイテク機器に応用されている。
【０００３】
メモリカードには多くの種類があり、例えばＳＤ、ＸＤ、ＭＭＣなどフォーマットの違いにから異なる仕様のメモリカードが製品化されている。但し、メモリカードは、主に内設される記憶媒体によってデータを保存し、外部に設けられたコンタクト端子を介してデータ信号を読み取り装置に伝送し、さらにコンピュータ本体によって受信する。
【０００４】
従来のメモリカードは、主にプラスチック材によってなるハウジングを具える。メモリカードを使用する際に内部の記憶媒体が破損した場合は、メモリカード全体を廃棄しなければならない。これは資源の浪費になるのみならず、メモリカードの廃棄が、延いては環境に対する危害を造成することになる。
【０００５】
上述に鑑み、業界では組み立て方式のメモリカードが開発された。即ち、図１に開示するように、従来の組み立て式メモリカードは、メモリカード本体（２０）とハウジング（Ａ）とを含んでなり、該ハウジング（Ａ）にはスロット（Ａ１）を形成する。またスロット（Ａ１）上には金属板（Ａ２）を設ける。かかる構造によってメモリカード本体（２０）をスロット（Ａ１）に挿入し、金属板（Ａ２）の作用でメモリカード本体（２０）をスロット（Ａ１）に固定する。
【０００６】
但し、上述する従来の組み立て式メモリカードは、金属板（Ａ２）をハウジング（Ａ）のスロット（Ａ１）に対応する位置に設けるが、但し金属板（Ａ２）の脱落を防ぐために金属板（Ａ２）とハウジング（Ａ）とに係止手段を設けなければならない。このため、組み立ての工程が複雑になるとともに、歩留まりが低下し、生産コストの増加を招くことになる。
【０００７】
また、メモリカード本体（２０）をハウジング（Ａ）に挿入する場合、メモリカード本体（２０）側の信号端子とハウジング（Ａ）側のコンタクト端子が接触して、はじめてコンタクト端子を介してメモリカード本体（２０）に保存したデータを読み取り装置に伝送することができる。但し、従来の挿入する方式は信号端子をコンタクト端子にガイドして正確に接触させることが難しい。このため、メモリカードの機能に大きな影響を与える。
【考案の開示】
【考案が解決しようとする課題】
【０００８】
この考案は、メモリカード本体をスロットに固定する場合、安定した固定が確実に得られるとともに、コンタクト端子と信号端子とが確実に接触し、データ信号の好ましい伝送効率が得られるメモリカードのコネクタを提供することを課題とする。
【課題を解決するための手段】
【０００９】
そこで本考案者は、従来の技術に鑑み鋭意研究を重ねた結果、一端にコンタクト端子を設け、他端にメモリカード本体を嵌合する嵌合溝を形成してなり、該嵌合溝の開口端縁部に段差部を形成するとともに、該段差部と該嵌合溝との間に傾斜面を形成し、該嵌合溝の上端にはコの字状に形成されメモリカード本体を位置決めする嵌合ブロックを形成し、且つ該嵌合溝内に、該コンタクト端子に接触する導電板を設けてなるメモリカードのコネクタの構造によって課題を解決できる点に着眼し、係る知見に基づき本考案を完成させた。
以下、この考案について具体的に説明する。
【００１０】
請求項１に記載するメモリカードのコネクタは、一端にコンタクト端子を設け、他端にメモリカード本体を嵌合する嵌合溝を形成してなり、該嵌合溝の開口端縁部に段差部を形成しするとともに、該段差部と該嵌合溝との間に傾斜面を形成し、該嵌合溝の上端にはコの字状に形成されメモリカード本体を位置決めする嵌合ブロックを形成し、且つ該嵌合溝内に、該コンタクト端子に接触する導電板を設け、該導電板を介して該メモリカード本体の信号端子と該コンタクト端子とが電気的に接続するように構成する。
【００１１】
請求項２に記載するメモリカードのコネクタは、請求項１におけるコネクタ本体が一体成形によって形成される。
【００１２】
請求項３に記載するメモリカードのコネクタは請求項１におけるコンタクト端子と導電板とが導電性の材質によってなる。
【００１３】
請求項４に記載するメモリカードのコネクタは、請求項１におけるコンタクト端子と導電板とに、それぞれメッキを施して、円弧線を描き隆起する凸状部を形成する。
【考案の効果】
【００１４】
本考案のメモリカードのコネクタは、メモリカード本体の信号端子とコンタクト端子とが確実に、且つ安定して接触し、好ましいデータ信号の伝送効率が得られるとともに、製品の組立ての工程が簡易化されることによって、歩留まりを高め、生産コストを節減できるという利点がある。
【考案を実施するための最良の形態】
【００１５】
図２から図４に、この考案によるメモリカードのコネクタを開示する。図面によれば、コネクタ本体（１０）は一体に形成し、一端にコンタクト端子（１１）を設け、他端に嵌合溝（１２）を形成する。該嵌合溝（１２）の開口端縁部に段差部（１３）を形成し、段差部（１３）と嵌合溝（１２）との間に傾斜面（１４）を形成する。また嵌合溝（１２）上にはコの字状の嵌合ブロック（１５）を設けるとともに、嵌合溝（１２）内にコンタクト端子（１１）に接触する導電板（１６）を設ける。該導電板はコンタクト端子（１１）と電気的に接続する。
【００１６】
メモリカード本体（２０）をコネクタ本体（１）に連結する場合、メモリカード本体（２０）を嵌合溝（１２）の開口端から内部に向かって挿入すると、メモリカード本体（２０）は傾斜面（１４）にガイドされて嵌合溝（１２）内に推され嵌合溝（１２）に嵌合する。同時に、嵌合溝（１２）の上端に形成した嵌合ブロック（１５）がメモリカード本体（２０）に対して位置を制限し、かつ段差部（１３）の作用によってメモリカード本体（２０）が嵌合溝（１２）から外れることを防ぐことができる。この状態において、メモリカード本体（２０）上の信号端子（２１）と導電板（１６）とが接触し、信号端子（２１）は導電板（１６）を介してコンタクト端子（１１）と電気的接続を形成した状態となり、信号伝送の目的を達成することができる。
【００１７】
逆に、メモリカード本体（２０）を取り出す場合は、図５に開示するように嵌合溝（１２）に嵌合したメモリカード本体（１０）に形成された押し圧部（２２）を利用して、メモリカード本体（１０）を嵌合溝（１２）から外方向に向かって押し出し、メモリカード本体（２０）を傾斜面（１４）から後方にガイドして徐々に嵌合溝（１２）から離れるように移動させることによって、メモリカード本体（２０）をコネクタ本体（１０）から分離させることができる。
【００１８】
また、図４から図６に開示するように、コンタクト端子（１１）と導電板（１６）は導電性の材質によってなる。図面には開示しないが、導電板（１６）はコンタクト端子（１１）と接触状態を形成し、かつコンタクト端子（１１）と導電板（１６）とにはそれぞれメッキを施して円弧線を描いて隆起する凸状部（１７）を表面に形成し、これをもって従来の弾性板を用いる構造の代替とする。
【００１９】
したがって、メモリカード本体（２０）をコネクタ本体（１０）の嵌合溝（１２）内に挿入した場合、導電板（１６）の表面に凸状部（１７）が形成されているため、導電板（１６）の接触面積が広くなり、メモリカード本体（１０）の信号端子（２１）と導電板（１６）との安定した接触が得られ、導電板（１６）を介して信号端子（２１）とコンタクト端子（１１）とが電気的に接続する。このため、コネクタ本体（１０）は読み取り装置を介してコンピュータ本体と連結すると、データ信号が導電板（１６）からコンタクト端子（１１）に伝送され、さらにコンタクト端子（１１）を介してデータ信号が読取装置に伝送され、コンピュータ本体に伝送されて、コンピュータ本体がメモリカード本体（２０）に対して、データ信号の送受信を行う。
【００２０】
ここで注意すべき点はこの発明においてコネクタ本体（１０）を一体成形し、且つメモリカード本体（２０）を嵌合させて設けるという点である。すなわち、コネクタ本体（１０）を一体成形することによって製品の組立ての工程を大幅に簡略化することができ、歩留まりを高め、製造コストを節減することができる。また、メモリカード本体（２０）は嵌合ブロック（１５）と段差部（１３）とによって形成される係止作用によって嵌合溝（１２）に位置決めされ、さらに導電板（１６）は表面に凸状部（１７）を形成するため、メモリカード本体（２０）の信号端子（２１）との接触面積が広くなり、安定した接触が得られる。したがって、導電板（１６）を介してコンタクト端子と確実に接触することができる。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００２２】
【図１】従来の組立て式メモリカードの外観を示した斜視図である。
【図２】この考案におけるコネクタ本体とメモリカード本体とを分解した状態を示した説明図である。
【図３】図２に開示するコネクタ本体とメモリカード本体とを組立てた状態を示した斜視図である。
【図４】図３に開示するコネクタ本体とメモリカードの平面の構造を示した説明図である。
【図５】図３に開示するコネクタ本体とメモリカードの断面の構造を示した説明図である。
【図６】この考案における導電板と信号端子を示した説明図である。
【符号の説明】
【００２３】
A             ハウジング
A1           スロット
A2           金属板
１０         コネクタ本体
１１         コンタクト端子
１２         嵌合溝
１３         段差部
１４         傾斜面
１５         嵌合ブロック
１６         導電板
１７         凸状部
２０         メモリカード本体
２１         信号機
２２         押し圧部
【図１】
0003107927.tif 000003
【図２】
0003107927.tif 000004
【図３】
0003107927.tif 000005
【図４】
0003107927.tif 000006
【図５】
0003107927.tif 000007
【図６】
0003107927.tif 000008